(57)【要約】【課題】ソースバスラインの電圧変動による影響を極力抑え、表示品位の低下を防止できる液晶表示装置の駆動回路を提供する。【解決手段】同時に複数のソースバスラインへ電圧をサンプリングするために、該複数のソースバスラインを選択すると共に、該複数のソースバスラインとしてそれぞれ隣接しないソースバスラインを選択することが可能な選択回路１０１を備えた。例えば、同一色用のソースバスラインＳ１，Ｓ４，Ｓｉを選択して電圧をサンプリングすると、選択されたソースバスラインＳ１，Ｓ４，Ｓｉは隣接ソースバスラインの電圧変動による影響を受けるが、その影響は分散しているので、色の偏りは生じず、表示品位の低下を防止できる。【選択図】      図１
2004341270.tif 000002
【特許請求の範囲】
【請求項１】
複数のゲートバスラインと複数のソースバスラインとで区切られたマトリクス状の各領域に、当該ゲートバスラインと当該ソースバスラインとに電気的に接続されたスイッチング素子、および前記スイッチング素子に電気的に接続された画素電極が設けられ、当該画素電極へ供給する電圧を当該ソースバスラインにサンプリングし、このサンプリング後に前記電圧を当該ソースバスラインに任意の時間ホールドすることができる液晶表示装置の駆動回路において、当該ソースバスラインへの電圧のサンプリング中に生じる隣接ソースバスラインの電圧変動による影響が分散するように、ソースバスラインの選択順序を変更可能にすることを特徴とする液晶表示装置の駆動回路。
【請求項２】
液晶層を挟んで対向配置された一対の基板のうちの一方の基板に、複数のゲートバスラインと複数のソースバスラインとが絶縁膜を介して互いに交差するように配置され、複数のゲートバスラインと複数のソースバスラインで区切られたマトリクス状の各領域に、当該ゲートバスラインと当該ソースバスラインとに電気的に接続されたスイッチング素子、および前記スイッチング素子に電気的に接続された画素電極が設けられ、当該画素電極へ供給する電圧を当該ソースバスラインにサンプリングし、このサンプリング後に前記電圧を当該ソースバスラインに任意の時間ホールドすることができる液晶表示装置の駆動回路において、同時に複数のソースバスラインへ電圧をサンプリングするために、該複数のソースバスラインを選択すると共に、該複数のソースバスラインとしてそれぞれ隣接しないソースバスラインを選択することが可能な選択回路を備えたことを特徴とする液晶表示装置の駆動回路。
【請求項３】
前記複数のソースバスラインとして選択されるソースバスラインは、同一色用のソースバスラインであることを特徴とする請求項２に記載の液晶表示装置の駆動回路。
【発明の詳細な説明】
【０００１】
【発明の属する技術分野】
本発明は、ＯＡ（Ｏｆｆｉｃｅ  Ａｕｔｏｍａｔｉｏｎ）用や  ＡＶ（Ａｕｄｉｏ  Ｖｉｓｕａｌ）用あるいは携帯性電気機器の表示装置として用いられる液晶表示装置の駆動回路に関し、特に、透明な絶縁性基板上にスイッチング素子をマトリクス上に配した所謂アクティブマトリクス型の液晶表示装置の駆動回路に関する。
【０００２】
【従来の技術】
液晶表示装置は、薄型、軽量、および低消費電力などの特徴を有し、近年では多く利用されるようになってきている。このような液晶表示装置の中でも、マトリクス状の各画素毎（各絵素毎）にスイッチング素子を配したアクティブマトリクス型の液晶表示装置は、上記のような特徴に加え、高品位の映像を提供できることから、ＯＡ用やＡＶ用、あるいは携帯性電気機器の表示装置として注目されている。
【０００３】
一般的なアクティブマトリクス型の液晶表示装置において、ガラスなどの透光性を有する絶縁材料からなる２枚の基板の間に液晶層を挟持した液晶パネルを備えている。その液晶パネルの表示面の裏側には、少なくとも液晶層に均一に光が照射されるように、光源と、この光源からの光を液晶層の全体に行き渡らせて、その光量が一定になるように制御された導光板とからなる光照射手段が設けられている。
【０００４】
液晶パネルを構成する一方の基板には、複数のゲートバスラインおよび複数のソースバスラインが互いに交差（一般的には直交）するように、互いに絶縁された状態で、マトリクス状に高密度に配線されている。そして、各バスラインの交差部近傍には、スイッチング素子としてのＴＦＴ（薄膜トランジスタ）素子と画素電極（絵素電極）とが、各バスラインで区切られたマトリクス内に設けられている。各ＴＦＴ素子は、ゲートバスラインとソースバスラインと画素電極とに電気的に接続されている。
【０００５】
液晶パネルを構成する他方の基板には、前記画素電極に対抗して設けられた対向電極が、全面にベタパターンで設けられており、２枚の基板は周辺部が封止剤で接着され、基板間には液晶層が挟持されている。
【０００６】
以下、この液晶表示装置により表示を得るための駆動回路の動作について図２および図３を参照して説明する。図２は従来技術としてのアクティブマトリクス方式の駆動を説明するための液晶表示装置の駆動回路のブロック図である。図３はアクティブマトリクス方式でのマトリクス状の各画素毎に設けられたスイッチング素子を含むスイッチング回路の等価回路図である。
【０００７】
図２において、制御回路１は、パーソナルコンピュータなどの信号発生装置から出力される任意のデータを受け取り、回路内部で当該液晶表示装置に適した信号に変換する。そして、ソースバスライン駆動回路２、ゲートバスライン駆動回路３、および対向電極駆動回路７に、所定の信号が制御回路１から供給される。また、図３において、ソースバスライン４とゲートバスライン５とのクロス部にはＴＦＴ素子１０が形成されており、このＴＦＴ素子１０はソースバスライン４とゲートバスライン５によって制御される。
【０００８】
ゲートバスライン駆動回路３は  、各ゲートバスライン（Ｇ１，Ｇ２，・・・，Ｇｎ）５に対して順次電圧を印加していく。ゲートバスライン５に電圧が印加されると、このゲートバスライン５にゲートが接続されたＴＦＴ素子１０がＯＮ状態になる。ＴＦＴ素子１０がＯＮ状態になると、ＴＦＴ素子１０を介してソースバスライン４の電圧が画素電極１１へ充電され、画素電極１１と対向電極６との間の電圧が液晶表示装置の液晶に印加される。なお、通常はＴＦＴ素子１０がＯＦＦ時のリーク電流の影響を抑えるために、補助容量を画素電極１１に対して形成するが、ここでの説明では省略している。
【０００９】
画素電極１１への充電後、ゲートバスライン５をＯＦＦ状態にすると、画素電極１１に充電された電荷は、次回の充電までそのまま保持され、液晶はその電荷による電圧に対して透過率を変化させるので、液晶の明暗をコントロールすることができる。画素電極１１へ充電される電圧は、ＴＦＴ素子１０がＯＮ状態におけるソースバスライン４の電圧となるため、液晶の透過率を制御するには、ソースバスライン４の電圧を制御すれば良いことになる。但し、ゲートバスライン駆動回路３が駆動する各ゲートバスライン（Ｇ１，Ｇ２，・・・、Ｇｎ）５が  ＯＮする前に、全ソースバスラインＳ１，Ｓ２，・・・，Ｓｍに対して  画素電極１１に充電する電圧を印加しておく必要がある。
【００１０】
ところで、全ソースバスラインへ電圧を印加する方法には、一度に印加する方法と、順次印加していく方法とがあり、前者を線順次駆動と呼称し、後者を点順次駆動と呼称する。
【００１１】
線順次駆動においては、制御回路１から転送されてきたデジタルデータを、ソースバスライン駆動回路２中のデジタルメモリにサンプリングし、全データが転送終了した時点で、一度のデジタルデータ／アナログ電圧変換を行い、変換後のアナログ電圧を全ソースバスラインＳ１，Ｓ２，・・・，Ｓｍに印加する。
【００１２】
一般的に、線順次駆動の場合は、高速でデジタルデータを転送する必要があるため、高速動作が必要であり、ソースバスラインの数だけデジタルデータ／アナログ電圧変換回路が必要なので、これらのデジタルデータ／アナログ電圧変換回路を実現するため単結晶シリコンを用いたＬＳＩが使用されることが多い。
【００１３】
一方、点順次駆動の場合は、ソースバスライン駆動回路２によって、データをリアルタイムでデジタルデータ／アナログ電圧変換を行ない、変換後のアナログ電圧を対象となる１本あるいは複数本のソースバスラインに対して印加する。そして、点順次駆動の一例であるＲ・Ｇ・Ｂ用のソースバスラインをｎ（ｎは自然数）本ずつ備えたカラー液晶表示装置の場合には、Ｒ・Ｇ・Ｂ用のソースバスライン１本ずつの３本を１セットとして、１セット内は同時に、かつ各セットで順次駆動を行っている。
【００１４】
また、点順次駆動では、デジタルデータ／アナログ電圧変換回路を全ソースバスラインの本数をｍ（ｍは自然数）本よりも少なくすることができ、また、デジタルメモリを必要としないので、電気回路規模が小さくなり、液晶パネル上に形成される多結晶シリコンを用いた電気回路で実現することができる。なお、ｍは図２中のソースバスラインＳ１〜Ｓｍの個数のｍ個を意味する。
【００１５】
一般的に、点順次駆動やブロック順次駆動においては、上下の単一方向からソースバスラインを引き、さらに、そのソースバスラインの総数をｍ本に制限されない。ソースバスラインの総数をｍ本に制限されない理由は、ソースバスライン間の寄生容量によるＡＣ結合の影響を等しくしており、表示には直接関係しないダミーのソースバスラインを両端や片側に形成しているためである。
【００１６】
図４は図２中のソースバスライン駆動回路２が点順次駆動用のソースバスライン駆動回路である場合の内部の回路構成を示すブロック図である。図４において点順次駆動用のソースバスライン駆動回路２００には、デジタル信号ＳＣＫとデジタル信号ＳＳＰ、デジタル信号ＳＣＫ，ＳＳＰにそれぞれ同期したデジタルデータＤＡＴＡ１，ＤＡＴＡ２が入力される。なお、図４では、ソースバスライン２本を１セットとした点順次駆動を例に挙げて示しているが、これを３本１セットに適用すれば、Ｒ・Ｇ・Ｂ用のソースバスライン１本ずつの３本１セットの点順次駆動を実現したカラー液晶表示装置に対応させることができる。
【００１７】
このソースバスライン駆動回路２００は、制御回路１（図２参照）からデジタル信号ＳＣＫとデジタル信号ＳＳＰが入力されると、デジタル信号のサンプリングを開始し、デジタル信号ＳＣＫに同期したデジタルデータＤＡＴＡ１をＤ／Ａ変換回路ＤＡ１へ転送し、デジタル信号ＳＳＰに同期したデジタルデータＤＡＴＡ２をＤ／Ａ変換回路ＤＡ２へ転送し、デジタルデータＤＡＴＡ１とデジタルデータＤＡＴＡ２をアナログ電圧に変換する。
【００１８】
そして、変換後のアナログ電圧は、選択回路２０１によってサンプリングホールド回路（ＡＳ１，ＡＳ２，ＡＳ３，ＡＳ４，ＡＳ５，・・・）２０２へと振り分けられる。選択対象となるソースバスラインがソースバスラインＳ１とソースバスラインＳ２である場合、選択回路２０１はサンプリングホールド回路ＡＳ１とサンプリングホールド回路ＡＳ２へ制御信号を転送し、それに応じてサンプリングホールド回路ＡＳ１とサンプリングホールド回路ＡＳ２がＯＮするので、結果としてＤ／Ａ変換回路ＤＡ１からのアナログ電圧はソースバスラインＳ１へ充電され、Ｄ／Ａ変換回路ＤＡ２からのアナログ電圧はソースバスラインＳ２に充電され、その他のサンプリングホールド回路ＡＳ３，ＡＳ４，・・・  ，ＡＳｍはＯＦＦ状態を保つ。
【００１９】
ソースバスラインＳ１，Ｓ２への充電が終了すると、選択回路２０１からサンプリングホールド回路ＡＳ１，ＡＳ２へ制御信号を転送し、それに応じてサンプリングホールド回路ＡＳ１，ＡＳ２がＯＦＦになるので、ソースバスラインＳ１，Ｓ２に充電された電圧は保持される。
【００２０】
ソースバスラインＳ１，Ｓ２への充電後、デジタル信号ＳＣＫに同期した新しいデジタルデータＤＡＴＡ１をＤ／Ａ変換回路ＤＡ１へ転送し、デジタルデータＤＡＴＡ２をＤ／Ａ変換回路ＤＡ２へ転送し、デジタルデータＤＡＴＡ１とデジタルデータＤＡＴＡ２をアナログ電圧に変換する。そして、選択回路２０１は、サンプリングホールド回路ＡＳ３とサンプリングホールド回路ＡＳ４へ制御信号を転送し、それに応じてサンプリングホールド回路ＡＳ３とサンプリングホールド回路ＡＳ４がＯＮするので、ソースバスラインＳ３とソースバスラインＳ４への充電が同様にして行われるが、その他のサンプリングホールド回路ＡＳ１，ＡＳ２，ＡＳ５，ＡＳ６，・・・，ＡＳｍはＯＦＦ状態を保つ。
【００２１】
同様にして、ソースバスラインＳｍまで充電が完了すると、ゲートバスライン駆動回路３によってゲートバスラインＧ１がＯＮとなり、このゲートバスラインＧ１に接続されているＴＦＴ素子がＯＮ状態となり、各ソースバスラインＳ１，Ｓ２，・・・，Ｓｍに充電されている電圧がＴＦＴ素子を介して画素電極へ充電される。画素電極への充電後は、ゲートバスライン駆動回路３によってゲートバスラインＧ１がＯＦＦとなり、このゲートバスラインＧ１に接続されているＴＦＴ素子がＯＦＦ状態となるので、画素電極に充電される電荷は保持される。
【００２２】
以上のような動作を繰り返すことで、液晶パネルに形成されている画素電極に充電を行なうことができるので、液晶表示装置は画像の表示が可能になる。
【００２３】
【特許文献１】
特開２００１−５１６５６号公報
【００２４】
【発明が解決しようとする課題】
一般に液晶パネル上に形成された電気回路には、本来意図しない寄生容量が形成され、その結果、画像の表示品位の低下を招くことが多いが、点順次駆動においても、その例外ではないことを図５を参照して説明する。図５は従来技術としての点順次駆動方法を説明するための液晶表示装置の駆動回路のブロック図である。
【００２５】
この図５に示す液晶表示装置の駆動回路は、液晶パネル上に形成されているソースバスラインをＲ（赤）、Ｇ（緑）、Ｂ（青）毎に一度に駆動しており、例えばソースバスラインＳ１がＲのライン、ソースバスラインＳ２がＧのライン、ソースバスラインＳ３がＢのラインとした場合、ソースバスラインＳ１には電圧Ｖ１が、ソースバスラインＳ２には電圧Ｖ２が、ソースバスラインＳ３には電圧Ｖ３がそれぞれ充電されており、サンプリングホールド回路ＡＳ１，ＡＳ２，ＡＳ３がＯＦＦとなり、その電圧が保持されている時に、サンプリングホールド回路ＡＳ４，ＡＳ５，ＡＳ６がＯＮになるとする。
【００２６】
ソースバスラインＳ４，Ｓ５，Ｓ６には、前回の画素電極への充電に使用された残電荷によってＶ４ａ，Ｖ５ａ，Ｖ６ａという電圧からサンプリングホールド回路ＡＳ４，ＡＳ５，ＡＳ６が開くことによって、それぞれＶ４，Ｖ５，Ｖ６という電圧が充電されるとする。
【００２７】
この事について、計算を簡単にして説明する。Ｖ３＝Ｖ１，Ｖ４＝Ｖ２，Ｖ５＝Ｖ１，Ｖ６＝Ｖ２とすると、ソースバスラインＳ４についてはＶ４ａ→Ｖ２へと電圧が変化し、ソースバスラインＳ５についてはＶ５ａ→Ｖ１へと電圧が変化し、ソースバスラインＳ６についてはＶ６ａ→Ｖ２へと電圧が変化する。
【００２８】
上記のような過程の動作は、ソースバスライン反転駆動やドット反転駆動といった隣接するソースバスライン同士で電圧の極性反転を行うような駆動方法では一般的である。
【００２９】
図５において、電圧が保持されているソースバスラインＳ１〜Ｓ３に影響を与えるのは、充電中であるソースバスラインＳ４の電圧変化のみであり、ソースバスラインＳ５やソースバスラインＳ６の電圧変化は、ソースバスラインＳ４の電圧を変動させようとするが、ソースバスラインＳ４は、充電中であるため、結局はＶ２という電圧になる。
【００３０】
一般的に、図５に示すように、液晶パネル上に形成された寄生容量Ｃｓｄ１ａ，Ｃｓｄ１ｂ，Ｃｓｄ２ａ，Ｃｓｄ２ｂ，Ｃｓｄ３ａ，Ｃｓｄ３ｂなどの容量はほとんど等しいので、Ｃｓｄと置き換えることができ、また、画素電極Ｃｐ１１，Ｃｐ１２，Ｃｐ１３などの容量も等しいと見なせるので、画素電極Ｃｐ１１，Ｃｐ１２，Ｃｐ１３の容量はＣｐと置き換えることができる。
【００３１】
例えば、ｋ番目のゲートバスラインＧｋがＯＮになる前には、画素電極Ｃｐ１１，Ｃｐ１２，Ｃｐ１３には、前回の充電時に充電された電圧が保持されているので、それらの各電圧をＶ１１，Ｖ１２，Ｖ１３とすると、ソースバスラインＳ４の電圧がＶ４ａ→Ｖ２に変化した時には、電荷量保存の法則により、ソースバスラインＳ１〜Ｓ３の電圧は次のように変動してしまう。
【００３２】
Ｖｃ＝（２＋Ｃｐ÷Ｃｓｄ）・（Ｖ１３−Ｖ１３’）＋Ｖ２−Ｖ４ａ  ・・・▲１▼
Ｖ３−Ｖ３’＝Ｖｃ  ・・・▲２▼
Ｖ２−Ｖ２’＝（２＋Ｃｐ÷Ｃｓｄ）・（Ｖ１２−Ｖ１２’）−Ｖｃ  ・・・▲３▼
Ｖ１−Ｖ１’＝（２＋Ｃｐ÷Ｃｓｄ）・（Ｖ１１−Ｖ１１’）−（Ｖ２−Ｖ２’）  ・・・▲４▼
尚、式▲２▼はソースバスラインＳ３の電圧変動、式▲３▼はソースバスラインＳ２の電圧変動、式▲４▼はソースバスラインＳ１の電圧変動を示す。また、Ｖ３’，Ｖ２’，Ｖ１’は、ソースバスラインＳ４の電圧がＶ４ａ→Ｖ２に変化した後のソースバスラインＳ３，Ｓ２，Ｓ１の電圧を示す。
【００３３】
例えば、ｋ番目のゲートバスラインＧｋがＯＮして画素電極へ充電される場合ソースバスラインＳ１〜Ｓ３の電圧変化量が等しくなく、また、同時に充電・保持するソースバスライン数が増えても、電圧変化量が全く同じになるソースバスラインは存在しない事が分かる。
【００３４】
上記の事は、１画素の単位であるＲＧＢを同時にソースバスラインに充電・保持を行なう場合、同一色同士同程度の電圧変化が生じるので、視認されるような表示品位の低下は殆どないが、２画素単位のようにＲＧＢＲＧＢの６本の場合は同じＲ同士、Ｇ同士、Ｂ同士でソースバスラインへの充電電圧が異なることになり、色の均一性が無くなることで、表示品位の低下を招くことになる。
【００３５】
また、１画素の単位であるＲＧＢを同時に充電・保持を行なう場合は、線順次駆動の場合に比べて、デジタルデータ／アナログ電圧変換回路の個数を低減できるが、その分、高速処理を行えるデジタルデータ／アナログ電圧変換回路が必要となり、回路規模の増加、消費電力の増加を招く虞がある。
【００３６】
従来技術における点順次駆動の例として、例えば、特許文献１の従来技術は、Ｒ・Ｇ・Ｂ用のソースバスライン１本ずつの３本１セットの点順次駆動方式を示している。また、この従来技術では、サンプリング後のデータに関し、配線を引き回すことにより、同時にサンプリングされたデータが隣り合うソースバスラインに供給されないことを示している。このように同時にサンプリングされたデータが隣り合うソースバスラインに供給されないことは、本発明と類似しているようにも見えるが、上記の課題を解決することに関しては一切開示していない。また、サンプリングされたデータが隣り合うソースバスラインに供給されないようにするために、配線を引き回すことになり、これにより、配線長が長くなるので配線抵抗の増加を避けることができず、その結果として表示品位が低下してしまうことになる。
【００３７】
本発明は、上記のような課題を解決するためになされたもので、ソースバスラインの電圧変動による影響を極力抑え、表示品位の低下を防止できる液晶表示装置の駆動回路を提供することを目的とする。
【００３８】
【課題を解決するための手段】
上記目的を達成するため、本発明は、複数のゲートバスラインと複数のソースバスラインとで区切られたマトリクス状の各領域に、当該ゲートバスラインと当該ソースバスラインとに電気的に接続されたスイッチング素子、および前記スイッチング素子に電気的に接続された画素電極が設けられ、当該画素電極へ供給する電圧を当該ソースバスラインにサンプリングし、このサンプリング後に前記電圧を当該ソースバスラインに任意の時間ホールドすることができる液晶表示装置の駆動回路において、当該ソースバスラインへの電圧のサンプリング中に生じる隣接ソースバスラインの電圧変動による影響が分散するように、ソースバスラインの選択順序を変更可能にすることを特徴とする液晶表示装置の駆動回路を提供する。
【００３９】
この構成において、ソースバスラインへ電圧をサンプリングする際、隣接ソースバスラインの電圧変動による影響が分散するように、ソースバスラインを選択する。例えば、同一色用のソースバスラインを選択して、電圧をサンプリングすると、選択されたソースバスラインは隣接ソースバスラインの電圧変動による影響を受けるが、その影響は分散しているので、色の偏りは生じず、表示品位の低下を防止できる。
【００４０】
また、本発明は、液晶層を挟んで対向配置された一対の基板のうちの一方の基板に、複数のゲートバスラインと複数のソースバスラインとが絶縁膜を介して互いに交差するように配置され、複数のゲートバスラインと複数のソースバスラインで区切られたマトリクス状の各領域に、当該ゲートバスラインと当該ソースバスラインとに電気的に接続されたスイッチング素子、および前記スイッチング素子に電気的に接続された画素電極が設けられ、当該画素電極へ供給する電圧を当該ソースバスラインにサンプリングし、このサンプリング後に前記電圧を当該ソースバスラインに任意の時間ホールドすることができる液晶表示装置の駆動回路において、同時に複数のソースバスラインへ電圧をサンプリングするために、該複数のソースバスラインを選択すると共に、該複数のソースバスラインとしてそれぞれ隣接しないソースバスラインを選択することが可能な選択回路を備えたことを特徴とする液晶表示装置の駆動回路を提供する。
【００４１】
この構成において、同時に複数のソースバスラインへ電圧をサンプリングする際、選択回路は隣接しないソースバスラインを選択する。例えば、同一色用のソースバスラインを選択して、電圧をサンプリングすると、選択されたソースバスラインは隣接ソースバスラインの電圧変動による影響を受けるが、その影響は分散しているので、色の偏りは生じず、表示品位の低下を防止できる。
【００４２】
好ましくは、前記複数のソースバスラインとして選択されるソースバスラインは、同一色用のソースバスラインであるので、隣接ソースバスラインの電圧変動による影響が分散し、色の偏りは生じない。
【００４３】
【発明の実施の形態】
以下、添付図面を参照しつつ、本発明の実施の形態について説明する。図１は本発明の一実施形態に係る液晶表示装置の駆動回路の構成を示すブロック図である。図１において、この駆動回路は、液晶パネルのソースバスラインがＲ・Ｇ・Ｂの３本毎に形成されていることを利用した駆動方法を採用している。
【００４４】
この図１に示す液晶表示装置の駆動回路は、液晶層を挟んで対向配置された一対の基板のうちの一方の基板に、複数のゲートバスラインＧ１〜Ｇｎと複数のソースバスラインＳ０〜Ｓｍとが絶縁膜を介して互いに交差するように配置され、ゲートバスラインＧ１〜ＧｎとソースバスラインＳ０〜Ｓｍでそれぞれ区切られたマトリクス状の各領域１０２に、ゲートバスラインＧ１〜ＧｎとソースバスラインＳ０〜Ｓｍとに電気的にそれぞれ接続されたスイッチング素子であるＴＦＴ素子１０、および該ＴＦＴ素子１０に電気的に接続された画素電極１１が設けられ、該画素電極１１へ供給する電圧をソースバスラインＳ０〜Ｓｍにサンプリングし、このサンプリング後に該電圧をソースバスラインＳ０〜Ｓｍに任意の時間ホールドすることが可能になっている。
【００４５】
また、この駆動回路は、同時に複数のソースバスラインへ電圧をサンプリングするために、複数のソースバスラインを選択すると共に、複数のソースバスラインとしてそれぞれ隣接しないソースバスラインを選択することが可能な選択回路１０１を備えている。
【００４６】
この選択回路１０１の入力側には、（ｍ÷３）個  のＤ／Ａ変換回路ＤＡ１，ＤＡ２，・・・，ＤＡ（ｍ÷３）  の出力端子が接続されている。また、この選択回路１の出力側には、ｍ個のサンプリングホールド回路ＡＳ１，ＡＳ２，・・・，ＡＳｍの入力端子が接続されている。サンプリングホールド回路ＡＳ１，ＡＳ２，・・・，ＡＳｍの出力端子は、ソースバスラインＳ０，Ｓ１，・・・，Ｓｍにそれぞれ接続されている。
【００４７】
ソースバスラインＳ０，Ｓ１，・・・，Ｓｍには、各ＴＦＴ素子１０のソースが接続されている。ゲートバスラインＧ１，・・・，Ｇｎには、各ＴＦＴ素子１０のゲートが接続されている。ＴＦＴ素子１０のドレインは、画素電極１１に接続されている。
【００４８】
図１に示す駆動回路においては、Ｂの充電時に充電されるＳ０というダミーのソースバスラインを設けると共に（ｍ÷３）個のＤ／Ａ変換回路（デジタルデータ／アナログ電圧変換回路）ＤＡ１〜ＤＡ（ｍ÷３）を設けており、この結果、Ｄ／Ａ変換回路は、線順次駆動の場合の３分の１の個数で済み、また、線順次駆動の場合よりも３分の１の速度で動作すれば良いことになる。
【００４９】
この駆動回路において、例えば、１回目はＲのみ、２回目はＧのみ、３回目はＢのみの充電を行ない、ソースバスラインＳ３はソースバスラインＳ０をも駆動するが、十分に充電時間が確保される場合、ソースバスラインＳ０，Ｓ２，Ｓ５，・・・の充電電圧は等しくなる。
【００５０】
Ｒ系のソースバスラインＳ１，Ｓ４，・・・，Ｓｉ，Ｓ（ｉ＋３）  の充電時は保持されているソースバスラインが無いので、これらのソースバスラインの電圧の変動に対しては表示品位の低下は生じない。
【００５１】
Ｇ系のソースバスラインＳ２，Ｓ５，・・・，Ｓ（ｉ＋１），Ｓ（ｉ＋４）の充電時は、ソースバスラインＳ１はソースバスラインＳ２の、ソースバスラインＳ４はソースバスラインＳ５の、ソースバスラインＳｉはソースバスラインＳ（ｉ＋１）の、ソースバスラインＳ（ｉ＋３）はソースバスラインＳ（ｉ＋４）の電圧変動の影響をそれぞれ受けるが、同一色（Ｒ）なので、色の偏りは生じず、１画素の単位であるＲＧＢを同時に充電・保持を行なう場合と同程度の表示品位の低下しかない。この場合、前述した式▲２▼と同じ電圧変動となる。
【００５２】
Ｂ系のソースバスラインＳ０，Ｓ３，Ｓ６，・・・，Ｓ（ｉ＋２），Ｓ（ｉ＋５）の充電時は、ソースバスラインＳ１はソースバスラインＳ０の、ソースバスラインＳ４はソースバスラインＳ３の、ソースバスラインＳｉはソースバスラインＳ（ｉ−１）の、ソースバスラインＳ（ｉ＋３）はソースバスラインＳ（ｉ＋２）の電圧変動の影響をそれぞれ受け、前記Ｇ系のソースバスラインの充電時に受けた影響との合成になるが、この場合も同一色（Ｒ）なので、色の偏りは生じず、また、Ｇ系のソースバスラインも同様の電圧変動を受けるが、同様に同一色（Ｇ）なので、色の偏りは生じず、結果として色の偏りによる表示品位の低下は生じない。
【００５３】
上記実施形態によれば、同一色用のソースバスラインを選択して、これら選択されたソースバスラインに対して電圧をサンプリングするので、選択されたソースバスラインは隣接ソースバスラインの電圧変動による影響を受けるが、その影響は分散しているので、色の偏りは生じず、表示品位の低下を防止することができる。
【００５４】
また、上記実施形態によれば、従来から使用されている液晶パネルの構造を変更する必要が無く、また、高速処理可能なデジタルデータ／アナログ電圧変換回路を不要に使用する必要が無いため、殆どコストアップ無しに、表示品位の低下を防止することができる。
【００５５】
また、上記実施形態によれば、選択回路によってサンプリングホールド回路への電圧の振り分けを制御することにより、特許文献１に記載の従来技術のように配線を引き回す必要などは生じない。
【００５６】
なお、上記実施形態では、同一色のソースバスラインに対して同時に電圧をサンプリングするものを示したが、隣り合うソースバスラインが同時に選択されないようにして、電圧変動の影響を分散できれば、同一色のソースバスラインに限らず、その他の複数のソースバスラインに対して同時に電圧をサンプリングしても良い。
【００５７】
【発明の効果】
以上のように本発明によれば、当該ソースバスラインへの電圧のサンプリング中に生じる隣接ソースバスラインの電圧変動による影響が分散するように、ソースバスラインの選択順序を変更可能にすることにより、色の偏りは生じず、表示品位の低下を防止できる。
【００５８】
また、本発明によれば、同時に複数のソースバスラインへ電圧をサンプリングするために、該複数のソースバスラインを選択すると共に、該複数のソースバスラインとしてそれぞれ隣接しないソースバスラインを選択することが可能な選択回路を備えたことにより、例えば、同一色用のソースバスラインを選択して、電圧をサンプリングすると、選択されたソースバスラインは隣接ソースバスラインの電圧変動による影響を受けるが、その影響は分散しているので、色の偏りは生じず、表示品位の低下を防止できる。
【図面の簡単な説明】
【図１】本発明の一実施形態に係る液晶表示装置の駆動回路の構成を示すブロック図である。
【図２】従来技術としてのアクティブマトリクス方式の駆動を説明するための液晶表示装置の駆動回路のブロック図である。
【図３】アクティブマトリクス方式でのマトリクス状の各画素毎に設けられたスイッチング素子を含むスイッチング回路の等価回路図である。
【図４】図２中のソースバスライン駆動回路が点順次駆動用のソースバスライン駆動回路である場合の内部の回路構成を示すブロック図である。
【図５】従来技術としての点順次駆動方法を説明するための液晶表示装置の駆動回路のブロック図である。
【符号の説明】
１０    ＴＦＴ素子（スイッチング素子）
１１    画素電極
１０１    選択回路
１０２    マトリクス状の領域
Ｇ１〜Ｇｎ    ゲートバスライン
Ｓ０〜Ｓｍ    ソースバスライン
【図１】
2004341270.tif 000003
【図２】
2004341270.tif 000004
【図３】
2004341270.tif 000005
【図４】
2004341270.tif 000006
【図５】
2004341270.tif 000007